(57)【要約】【課題】管理者側の端末からの命令により利用者側の端末の機能の設定ができる仕組みを提供すること。【解決手段】管理者側の管理端末１０からの命令により利用者側の携帯端末２０の機能の設定を変更する。【選択図】図１
2008186304.tif 000002
【特許請求の範囲】
【請求項１】
管理者側の管理端末からの命令により利用者側の携帯端末の機能の設定を変更することを特徴とする携帯端末設定方法。
【請求項２】
管理サーバは利用者側の携帯端末の情報を認識し、自装置に保存するとともに、前記携帯端末に管理される端末である旨の情報を書き込み、
管理端末が前記管理サーバに機能制限命令を出すと、前記管理サーバに管理される端末として登録されている携帯端末の設定を変更することを特徴とする携帯端末設定方法。
【請求項３】
一時的な設定は、所定の時間経過後にその設定が解除されることを特徴とする請求項１または２記載の携帯端末設定方法。
【請求項４】
管理者側の管理端末からの命令により機能の設定を変更することを特徴とする携帯端末。
【請求項５】
管理サーバにより自端末の情報が認識され、保存されるとともに、管理される端末である旨の情報が書き込まれ、
管理端末が前記管理サーバに機能制限命令を出すと、前記管理サーバに管理される端末として登録されているため設定が変更されることを特徴とする携帯端末。
【請求項６】
一時的な設定は、所定の時間経過後にその設定が解除されることを特徴とする請求項４または５記載の携帯端末。
【請求項７】
命令により利用者側の携帯端末の機能の設定を変更することを特徴とする管理端末。
【請求項８】
管理サーバは利用者側の携帯端末の情報を認識し、自装置に保存するとともに、前記携帯端末に管理される端末である旨の情報を書き込み、
前記管理サーバに機能制限命令を出し、前記管理サーバに管理される端末として登録されている携帯端末の設定を変更することを特徴とする管理端末。
【請求項９】
利用者側の携帯端末の情報を認識し、自装置に保存するとともに、前記携帯端末に管理される端末である旨の情報を書き込み、
管理端末から機能制限命令を受け取り、自装置に管理される端末として登録されている携帯端末の設定を変更させることを特徴とする管理サーバ。
【請求項１０】
管理者側の管理端末からの命令により利用者側の携帯端末の機能の設定を変更することを特徴とする携帯端末設定システム。
【請求項１１】
管理サーバは利用者側の携帯端末の情報を認識し、自装置に保存するとともに、前記携帯端末に管理される端末である旨の情報を書き込み、
管理端末が前記管理サーバに機能制限命令を出すと、前記管理サーバに管理される端末として登録されている携帯端末の設定を変更することを特徴とする携帯端末設定システム。
【請求項１２】
一時的な設定は、所定の時間経過後にその設定が解除されることを特徴とする請求項１０または１１記載の携帯端末設定システム。
【請求項１３】
コンピュータに請求項４から９のいずれか１項に記載の機能を実現させることを特徴とするプログラム。
【発明の詳細な説明】
【技術分野】
【０００１】
本発明は、携帯端末内部に含まれるアプリケーションを個別管理することができる技術に関する。
【背景技術】
【０００２】
従来の携帯電話機は、ユーザがアプリを選択して起動する方式であり、アプリから他のアプリを起動する場合は、更にユーザ選択により起動するという動作が必要となる。
【０００３】
例えば、カメラを起動して撮影した画像をメールに添付して送信するといった様な動作を行う為には、カメラアプリを起動して、画像を撮影し、その後ユーザ操作によりメールへ添付するという動作を行うこととなる。
【０００４】
このケースにおいてユーザ操作をより簡易にする為に、ユーザテンプレートにおいて予めメールとカメラを連動する様に設定しておくことで、連動して起動されたカメラで撮影されたものはすべてメールに添付される様になり、ユーザ操作によりメールへ添付するという動作を省くことが可能となる。
【０００５】
ここで、ウィンドウ管理情報と、これにアクセスするウィンドウ管理情報制御部と、他プログラムがウィンドウへアクセスする時のアクセス情報をアプリケーション制御部に送るプログラム間通信制御部と、入力情報をアプリケーション制御部に送る入力制御部と、オペレータが操作を行う入力装置と、アプリケーションの制御、ウィンドウ管理情報制御部や、入力制御部からの入出力にしたがってアプリケーションの起動・制御を行うアプリケーション制御部と、ウィンドウを表示する表示装置から構成されることで、アイコンによるアプリケーション起動方法をもつマルチウィンドウシステムにおいて、アイコン又は、複数のウィンドウによって表されたアプリケーションを関連付け（グループ化）して管理することにより、マルチウィンドウシステムにおける操作性を向上することができる技術がある（例えば、特許文献１参照）。
【特許文献１】特開平８−３１４６７９号公報
【発明の開示】
【発明が解決しようとする課題】
【０００６】
しかしながら、従来の技術では、施設入場時などに管理者側の端末と入場者側の端末の間に一時的な管理関係を設定することができない。
【０００７】
本発明は、以上説明した問題点を解決するためになされたものである。その目的は、管理者側の端末からの命令により利用者側の端末の設定ができる仕組みを提供することである。
【課題を解決するための手段】
【０００８】
本発明は、管理者側の管理端末からの命令により利用者側の携帯端末の機能の設定を変更する携帯端末設定方法を提供する。
【０００９】
また、本発明は、管理サーバは利用者側の携帯端末の情報を認識し、自装置に保存するとともに、前記携帯端末に管理される端末である旨の情報を書き込み、
管理端末が前記管理サーバに機能制限命令を出すと、前記管理サーバに管理される端末として登録されている携帯端末の設定を変更携帯端末設定方法を提供する。
【００１０】
また、本発明は、管理者側の管理端末からの命令により機能の設定を変更する携帯端末を提供する。
【００１１】
また、本発明は、管理サーバにより自端末の情報が認識され、保存されるとともに、管理される端末である旨の情報が書き込まれ、
管理端末が前記管理サーバに機能制限命令を出すと、前記管理サーバに管理される端末として登録されているため設定が変更される携帯端末を提供する。
【００１２】
また、本発明は、命令により利用者側の携帯端末の機能の設定を変更する管理端末を提供する。
【００１３】
また、本発明は、管理サーバは利用者側の携帯端末の情報を認識し、自装置に保存するとともに、前記携帯端末に管理される端末である旨の情報を書き込み、
前記管理サーバに機能制限命令を出し、前記管理サーバに管理される端末として登録されている携帯端末の設定を変更する管理端末を提供する。
【００１４】
また、本発明は、利用者側の携帯端末の情報を認識し、自装置に保存するとともに、前記携帯端末に管理される端末である旨の情報を書き込み、
管理端末から機能制限命令を受け取り、自装置に管理される端末として登録されている携帯端末の設定を変更させる管理サーバを提供する。
【００１５】
また、本発明は、管理者側の管理端末からの命令により利用者側の携帯端末の機能の設定を変更する携帯端末設定システムを提供する。
【００１６】
また、本発明は、管理サーバは利用者側の携帯端末の情報を認識し、自装置に保存するとともに、前記携帯端末に管理される端末である旨の情報を書き込み、
管理端末が前記管理サーバに機能制限命令を出すと、前記管理サーバに管理される端末として登録されている携帯端末の設定を変更する携帯端末設定システムを提供する。
【発明の効果】
【００１７】
本発明によれば、管理者側の端末からの命令により利用者側の端末の機能の設定ができる仕組みを提供することができる。
【発明を実施するための最良の形態】
【００１８】
以下、本発明の実施の形態について図面を参照して詳細に説明する。
【００１９】
図１を参照すると、本実施の形態における携帯端末設定システムは、管理者側の管理端末１０とユーザ側の携帯端末２０から構成されている。
【００２０】
コンフィグファイル設定について説明する。コンフィグファイルは、ユーザ設定、及び、管理端末１０からの命令による設定の２通りの方法で設定されうる。
【００２１】
ユーザ設定は、ユーザが携帯端末１０内を操作することにより、設定するものとし、管理端末１０からの命令による設定は、施設内で使用可能なアプリケーションや、制限事項等のコンフィグ設定や、未契約時に使用制限したいアプリケーションを通信網や赤外線、無線ＬＡＮ等の機構を使用し、強制的に設定可能とするものである。
【００２２】
ここで、管理端末１０からの命令による設定である管理者設定とは、通信事業者、エリア管理者(施設内での設定)であるものとする。管理者設定を使用する為に一時的に設定を行う際には、最初に設定されたコンフィグデータ受信時と同様の通信回線であるＷＬＡＮやＢｌｕｅｔｏｏｔｈ等の通信回線により設定解除を受信するまで有効となるものとする。これにより施設内に入出により設定／解除可能な他、様々な使用用途が可能となる。また、通信事業者により携帯端末内の特定のアプリケーションを使用不可とする為に契約解除時にコンフィグデータを設定することで契約再開時迄、使用不可とすることが可能となる。
【００２３】
設定されるデータとしては、ａ)グループ化して起動するアプリ群、及び、ｂ)親子関係で起動するアプリ群、ｃ)機能制限して起動するアプリ群、ｄ)機能停止するアプリ群の４パターンの設定を行うことが出来るものとする。
【００２４】
図２は、携帯端末１０のハードウェア構成を示しており、主に下記の４つで構成される。
【００２５】
システム制御部１４は、携帯端末１０のメイン部分の動作を行う。
【００２６】
記憶メモリ１２は、ユーザが設定するアプリケーション起動のテンプレート情報、および、管理者により強制的に設定されるテンプレート情報を記憶する動作を行う。
【００２７】
認証制御部１３は、アプリケーション起動時に認証動作が必要な場合は認証確認動作を行う。
【００２８】
無線制御部１４は、ＨＴＴＰ通信、ＴＣＰ／ＩＰ通信、赤外線通信、無線ＬＡＮ通信などの無線制御を行う。
【００２９】
図３は、携帯端末１０に関するソフトウェア構成を示しており、主に下記の６つで構成される。
【００３０】
ＯＳ２１は、携帯端末におけるプラットフォーム環境であるが、特に特定はしない。
【００３１】
通信モジュール２２は、赤外線、ＨＴＴＰ、ＴＣＰ／ＩＰ、無線ＬＡＮ等の通信手段を持つモジュールであり、アプリケーションからの要求により通信時に使用されるモジュールである。
【００３２】
携帯端末モジュール２３は、携帯端末に特化されたソフトウェアモジュール群のことであり、今回の発明においては言及されないモジュールである。
【００３３】
データ管理モジュール２４は、ユーザがカスタマイズしたテンプレート情報、および、管理者により強制的に設定されるテンプレート情報を管理する為のモジュールである。
【００３４】
アプリケーション管理モジュール２５は、データ管理モジュールに設定された情報を基に各アプリケーションに対して制限や起動条件などの情報を設定し、ユーザ操作を監視する為のモジュールである。
【００３５】
アプリケーション２６は、携帯端末上に保有されるJava（登録商標）等のアプリケーションのことを意味する。アプリケーション２６はアプリケーション管理モジュール２５に監視されアプリケーション管理モジュールの要求通りに動作するモジュールである。
【００３６】
次に、本実施の形態の動作について図面を参照して説明する。
図４を参照すると、まず、ユーザ設定、もしくは、管理者設定においてアプリケーション動作の為のコンフィグデータを設定する（Ｓ４０１）。これは、ユーザによる入力方式であったり、管理端末１０による通信路(無線、有線)からの設定である。
【００３７】
設定されたコンフィグデータを基にアプリケーション管理モジュールはそのデータ読み込みを行い、各種アプリケーションに対してａ)−ｄ)の４パターンの設定を行う（Ｓ４０２）。
【００３８】
ユーザがアプリケーション起動を行った際（Ｓ４０３）に、４パターンの設定がなされている場合は、その設定に応じた動作を行う。以下に４パターンごとに分けて説明する。
【００３９】
ａ)のグループ化して起動するアプリ群は、１アプリを選択することでグループ設定されているアプリがすべて起動するモードである。ヘビーユーザは、単一アプリを動作させるだけでなく、マルチタスクでアプリケーション動作させるシーンが多い為、一度に複数アプリを起動する（Ｓ４０４ａ）。
【００４０】
この際、予め設定しておく切り替えキー操作情報を基にグループ化されているアプリ群のみをフォーカス切り替え可能な様にアプリケーション管理モジュールは動作監視しているものとする。
【００４１】
また、アプリケーションを終了させる際にも複数アプリすべてを終了する。
【００４２】
この動作によりユーザが個々のアプリを選択することなく、単一動作で起動したいアプリ群を起動させることが可能となり、かつ、設定したキー操作情報でアプリケーションを簡単に切り替えることが可能となる。
【００４３】
ｂ)の親子関係で起動するアプリ群は、明示的に親アプリと子アプリを設定することにより子アプリは親アプリに従属的に動作する設定となる。例えば、親アプリをメール、子アプリをカメラ、メロディ選択アプリとした場合に、親アプリを起動した場合に、子アプリはa)と同様に起動され、切り替え可能となる（Ｓ４０４ｂ）。
【００４４】
この時、子アプリに切り替え、カメラ撮影した場合には、通常動作ではカメラ画像をフォルダ内に保存する動作が実行されるが、親アプリがメールとなっている為、自動でメールの添付画像として扱われる様になる。同様にメロディ選択アプリでメロディを選択した場合にもメール添付画像として扱われる。この様に子アプリの動作結果を親アプリに反映することが可能となる。
【００４５】
ｃ)の機能制限して起動するアプリ群は、アプリケーションに付随する機能の一部を制限する設定となる。例えば、映画館などの施設において無線動作や通信動作を行わせたくない場合に管理者設定により強制的に電話アプリにより音声発信、着信、電子メール着信や送信を制限するモードに設定する（Ｓ４０４ｃ）。
【００４６】
また、この際にはアプリケーション起動自体は制限していないので、音声発信はできないが電話帳参照は可能であり、受信メールの閲覧等も可能としてアプリケーション起動を行うものである。
【００４７】
また、ユーザによっては自身の電話帳内容すべてを公開したくない場合などがある為、ユーザ設定による機能制限としてデータ領域(電話帳や電子メールデータ等)に対しても制限してアプリケーションを起動することが可能とする。
【００４８】
ｄ)の機能停止するアプリ群は、自身が使用したくないアプリケーションをユーザ設定により抹消することで起動不可にしたり、管理者設定により一時的に機能停止する場合、及び、未契約ユーザとなったことでＴＶや無線ＬＡＮ環境を契約再開まで使用不可にする（Ｓ４０４ｄ）。
【００４９】
一時的な設定を行う場合は、所定の時間経過後にその設定が解除されることであってもよい（Ｓ４０５）。
【００５０】
上記の本実施の形態によれば、各個人に応じたアプリ起動のテンプレートを作成することにより各ユーザに応じた使用用途でアプリケーション起動が可能であり、各ユーザに応じて操作性を簡易化することが可能となる効果がある。
【００５１】
また、限られたエリアにおいて強制的に携帯端末内のアプリケーションの機能制限を行うことで施設内での制限や未契約端末でのＴＶ視聴やＷＬＡＮ接続使用を抑止可能とする効果がある。
【００５２】
次に、本発明の第２の実施の形態について説明する。施設入場時などに管理者側の端末と入場者側の端末の間に一時的な管理関係を設定するものであり、上記の第１の実施の形態のｃ)の機能制限して起動するアプリ群に関連する。
【００５３】
図５を参照すると、本実施の形態における携帯端末設定システムは、管理端末１０と、施設への入場者の非接触型リーダ・ライタを備える携帯端末２０と、非接触型リーダ・ライタを備える管理サーバ３０から構成されている。
【００５４】
本実施の形態の動作について図面を参照して説明する。
図６を参照すると、まず、入場者は施設入場時に管理サーバ３０に携帯端末２０をかざす（Ｓ６０１）。
【００５５】
管理サーバ３０は入場者の携帯端末２０の情報を認識し（Ｓ６０２）、自装置に保存するとともに、携帯端末２０に「管理される端末」である旨の情報を書き込む（Ｓ６０３）。
【００５６】
管理端末１０から管理サーバ３０に「機能制限命令」を出すと（Ｓ６０４）、管理サーバ３０に「管理される端末」として登録されているすべての携帯端末２０のコンフィグ設定を一律に変更する（Ｓ６０５）。管理サーバ３０にかざした時点で携帯端末２０の機能を制限すると、早く入場した者が開演時間等まで携帯端末２０を操作することができなくなるが、この手法によれば開演ぎりぎりまで利用が可能となる。
【００５７】
一時的なコンフィグ設定の変更は、所定の時間経過後にその変更設定が解除されることであってもよい（Ｓ６０６）。例えば、施設からの退場時に解除の操作を忘れると携帯端末２０の利用ができないままなので、解除の操作がなかった場合は、演目が終わる２時間半後に変更設定を解除することとする。
【００５８】
なお、上述する各実施の形態は、本発明の好適な実施の形態であり、本発明の要旨を逸脱しない範囲内において種々変更実施が可能である。例えば、管理端末１０および携帯端末２０の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００５９】
【図１】本発明の第１の実施の形態のシステム構成構成図である。
【図２】本発明の第１の実施の形態のハードウェア構成図である。
【図３】本発明の第１の実施の形態のソフトウェアを示す図である。
【図４】本発明の第１の実施の形態の処理動作を示すフローチャートである。
【図５】本発明の第２の実施の形態のシステム構成構成図である。
【図６】本発明の第２の実施の形態の処理動作を示すフローチャートである。
【符号の説明】
【００６０】
１０    管理端末
２０    携帯端末
【図１】
2008186304.tif 000003
【図２】
2008186304.tif 000004
【図３】
2008186304.tif 000005
【図４】
2008186304.tif 000006
【図５】
2008186304.tif 000007
【図６】
2008186304.tif 000008